【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
移動送信機の位置を検出し、位置推定を１つ以上のロケーション・ベースのアプリケーションに送出することができる、無線ロケーション・システム（ＷＬＳ）において用いるため方法であって、位置推定プロセスが１つ以上のサービス品質パラメータにしたがって実行され、前記方法が、
（ａ）少なくとも第１および第２組の所定のサービス品質パラメータを特定の通話部類または移動送信機のアイデンティティに対して割り当てるステップと、
（ｂ）前記第１組のサービス品質パラメータによって信号データの収集および位置計算処理が制約を受けるプロセスにおいて、第１位置推定を発生するステップと、
（ｃ）前記第１位置推定を前記１つ以上のロケーション・ベースのアプリケーションのうちの少なくとも１つに送出するステップと、
（ｄ）前記第２組のサービス品質パラメータによって信号データの収集および位置計算処理が制約を受けるプロセスで、第２位置推定を発生するステップと、
（ｅ）前記第２位置推定を前記１つ以上のロケーション・ベースのアプリケーションのうちの少なくとも１つに送出するステップと、
を備えている、方法。
【請求項２】
請求項１記載の方法において、前記サービス品質パラメータの少なくとも１つを、位置推定を供給する先であるロケーション・ベースのアプリケーションの種類によって決定する、方法。
【請求項３】
請求項１記載の方法において、前記サービス品質パラメータの少なくとも１つを、被呼番号によって決定する、方法。
【請求項４】
請求項１記載の方法において、前記サービス品質パラメータの少なくとも１つを発呼番号によって決定する、方法。
【請求項５】
請求項１記載の方法において、前記サービス品質パラメータの少なくとも１つを、移動送信機の識別によって決定する、方法。
【請求項６】
請求項１記載の方法において、前記サービス品質パラメータの少なくとも１つは、優先レベルを含む、方法。
【請求項７】
請求項１記載の方法において、前記サービス品質パラメータの少なくとも１つは、信号収集に対する時間制限を含む、方法。
【請求項８】
請求項１記載の方法において、前記サービス品質パラメータの少なくとも１つは、信号処理に対する時間制限を含む、方法。
【請求項９】
請求項１記載の方法において、前記サービス品質パラメータの少なくとも１つは、総レイテンシに対する時間制限を含む、方法。
【請求項１０】
請求項１記載の方法において、前記サービス品質パラメータの少なくとも１つは、信号電力閾値を含む、方法。
【請求項１１】
請求項１記載の方法において、前記サービス品質パラメータの少なくとも１つは、位置推定の送出に対する時間制限を含む、方法。
【請求項１２】
請求項１記載の方法において、前記サービス品質パラメータの少なくとも１つは、位置精度閾値を含む、方法。
【請求項１３】
請求項１記載の方法において、前記サービス品質パラメータの少なくとも１つは、速度精度閾値を含む、方法。
【請求項１４】
請求項１記載の方法において、前記第２位置推定は、前記第１位置推定とは独立している、方法。
【請求項１５】
請求項１記載の方法において、前記第２位置推定は、少なくとも部分的に前記第１位置推定に基づく、方法。
【請求項１６】
請求項１記載の方法において、前記第１位置推定および前記第２位置推定を並列に決定する、方法。
【請求項１７】
請求項１記載の方法において、前記ステップ（ｅ）のロケーション・ベースのアプリケーションは、ステップ（ｃ）における前記ロケーション・ベースのアプリケーションとは同じものではない、方法。
【請求項１８】
請求項１記載の方法において、ステップ（ｄ）は、多数の位置推定を含み、その位置推定間の期間は前記第２組のサービス品質パラメータによって設定される、方法。
【請求項１９】
請求項１記載の方法において、ステップ（ｄ）は、多数の位置推定を含み、その数は前記第２組のサービス品質パラメータによって設定される、方法。
【請求項２０】
請求項１記載の方法において、ステップ（ｄ）は、多数の位置推定を含み、その総時間期間は、前記第２組のサービス品質パラメータによって設定される、方法。
【請求項２１】
請求項１記載の方法において、前記第１位置推定および第２位置推定は、前記位置推定を、前記第１位置推定または第２位置推定のいずれかとして特定する情報エレメントを含む、方法。
【請求項２２】
無線送信機から受信する送信に基づいて前記無線送信機の位置を検出することができる無線ロケーション・システム（ＷＬＳ）において用いる、多重経路位置検出処理方法であって、
（ａ）第１組のサービス品質パラメータと、格納された無線環境および伝搬モデルとに基づいて、第１位置検出技術を選択するステップと、
（ｂ）第１の低品質位置推定を発生し、前記第１位置推定を第１位置検出アプリケーションに供給するステップと、
（ｃ）前記第１組のサービス品質パラメータと、前記格納された無線環境および伝搬モデルに基づいて、第２位置検出技術を選択するステップと、
（ｄ）続いて、第２位置検出アプリケーションに送出するために、第２の高品質位置推定を発生するステップと、
を備えている、多重経路位置検出処理方法。
【請求項２３】
請求項２２記載の方法において、前記第１位置推定に用いる技術の決定においてサイト密度係数を用いる、方法。
【請求項２４】
請求項２２記載の方法において、前記第１組のサービス品質パラメータは、前記第１位置推定のために用いる技術の決定において使用する時間制限を含む、方法。
【請求項２５】
請求項２２記載の方法において、前記第１組のサービス品質パラメータは、前記第１位置推定のために用いる技術の決定において使用する信頼度係数を含む、方法。
【請求項２６】
請求項２２記載の付御ほうにおいて、前記第１組のサービス品質パラメータは、前記第１位置推定に用いる技術の決定において使用する精度パラメータを含む、方法。
【請求項２７】
請求項２２記載の方法において、前記第２組のサービス品質パラメータは、前記第２位置推定に用いる技術の決定において使用する信頼度係数を含む、方法。
【請求項２８】
請求項２２記載の方法において、前記第２組のサービス品質パラメータは、前記第２位置推定に用いる技術の決定において使用する精度要件を含む、方法。
【請求項２９】
請求項２２記載の方法において、前記第２組のサービス品質パラメータは、前記第２位置推定に用いる技術の決定において使用する時間制限を含む、方法。
【請求項３０】
移動送信機の位置を検出し、位置推定を１つ以上のロケーション・ベースのアプリケーションに送出することができる無線ロケーション・システム（ＷＬＳ）であって、位置推定プロセスが１つ以上のサービス品質パラメータに応じて実行され、前記システムが、
（ａ）少なくとも第１組および第２組の所定のサービス品質パラメータを、特定の通話部類または移動送信機のアイデンティティに対して割り当てる手段と、
（ｂ）前記第１組のサービス品質パラメータによって信号データの収集および位置計算処理が制約を受けるプロセスにおいて、第１位置推定を発生する手段と、
（ｃ）前記第１位置推定を、前記１つ以上のロケーション・ベースのアプリケーションのうちの少なくとも１つに送信する手段と、
（ｄ）前記第２組のサービス品質パラメータによって信号データの収集および位置計算処理が制約を受けるプロセスで、第２位置推定を発生する手段と、
（ｅ）前記第２位置推定を前記１つ以上のロケーション・ベースのアプリケーションのうちの少なくとも１つに送信する手段と、
を備えている無線ロケーション・システム。
【請求項３１】
請求項３０記載のシステムにおいて、前記サービス品質パラメータの少なくとも１つは、位置推定を供給する先であるロケーション・ベースのアプリケーションの種類によって決定される、システム。
【請求項３２】
請求項３０記載のシステムにおいて、前記サービス品質パラメータの少なくとも１つは、被呼番号によって決定される、システム。
【請求項３３】
請求項３０記載のシステムにおいて、前記サービス品質パラメータの少なくとも１つは、発呼番号によって決定される、システム。
【請求項３４】
請求項３０記載のシステムにおいて、前記サービス品質パラメータの少なくとも１つは、移動送信機の識別によって決定される、システム。
【請求項３５】
請求項３０記載のシステムにおいて、前記サービス品質パラメータの少なくとも１つは、優先レベルを含む、システム。
【請求項３６】
請求項３０記載のシステムにおいて、前記サービス品質パラメータの少なくとも１つは、信号収集に対する時間制限を含む、システム。
【請求項３７】
請求項３０記載のシステムにおいて、前記サービス品質パラメータの少なくとも１つは、信号処理に対する時間制限を含む、システム。
【請求項３８】
請求項３０記載のシステムにおいて、前記サービス品質パラメータの少なくとも１つは、総レイテンシに対する時間制限を含む、システム。
【請求項３９】
請求項３０記載のシステムにおいて、前記サービス品質パラメータの少なくとも１つは、信号電力閾値を含む、システム。
【請求項４０】
請求項３０記載のシステムにおいて、前記サービス品質パラメータの少なくとも１つは、位置推定の送出に対する時間制限を含む、システム。
【請求項４１】
請求項３０記載のシステムにおいて、前記サービス品質パラメータの少なくとも１つは、位置精度閾値を含む、システム。
【請求項４２】
請求項３０記載のシステムにおいて、前記サービス品質パラメータの少なくとも１つは、速度精度閾値を含む、システム。
【請求項４３】
請求項３０記載のシステムにおいて、前記第２位置推定は、前記第１位置推定とは独立している、システム。
【請求項４４】
請求項３０記載のシステムにおいて、前記第２位置推定は、少なくとも部分的に前記第１位置推定に基づく、システム。
【請求項４５】
請求項３０記載のシステムにおいて、前記第１位置推定および前記第２位置推定を並列に決定する、システム。
【請求項４６】
請求項３０記載のシステムであって、多数の位置推定を、前記第２組のサービス品質パラメータによって設定される推定間の期間で発生する手段を備えている、システム。
【請求項４７】
請求項３０記載のシステムであって、多数の位置推定を、前記第２組のサービス品質パラメータによって設定される数で発生する手段を備えている、システム。
【請求項４８】
請求項３０記載のシステムであって、多数の位置推定を、前記第２組のサービス品質パラメータによって設定される総時間期間で発生する手段を備えている、システム。
【請求項４９】
無線送信機から受信する送信に基づいて、前記無線送信機の位置を検出することができる無線ロケーション・システム（ＷＬＳ）において用いる多重経路位置検出処理システムであって、
（ａ）第１組のサービス品質パラメータと、格納された無線環境および伝搬モデルとに基づいて、第１位置検出技術を選択する手段と、
（ｂ）第１の低品質位置推定を発生し、該第１位置推定を第１位置検出アプリケーションに供給する手段と、
（ｃ）前記第１組のサービス品質パラメータと、前記格納された無線環境および伝搬モデルとに基づいて、第２位置検出技術を選択する手段と、
（ｄ）続いて、第２位置検出アプリケーションに送出するために、第２の高品質位置推定を発生する手段と、
を備えている多重経路位置検出処理システム。
【請求項５０】
請求項４９記載のシステムにおいて、前記第１位置推定に用いる技術の決定において、サイト密度係数を採用する、システム。
【請求項５１】
請求項４９記載のシステムにおいて、前記第１組のサービス品質パラメータは、前記第１位置推定に用いる技術の決定において使用する時間制限を含む、システム。
【請求項５２】
請求項４９記載のシステムにおいて、前記第１組のサービス品質パラメータは、前記第１位置推定に用いる技術の決定において使用する信頼度を含む、システム。
【請求項５３】
請求項４９記載のシステムにおいて、前記第１組のサービス品質パラメータは、前記第１位置推定に用いる技術を決定する際に用いる精度パラメータを含む、システム。
【請求項５４】
請求項４９記載のシステムにおいて、前記第２組のサービス品質パラメータは、前記第２位置推定に用いる技術の決定において使用する信頼度を含む、システム。
【請求項５５】
請求項４９記載のシステムにおいて、前記第２組のサービス品質パラメータは、前記第２位置推定に用いる技術の決定において使用する精度要求を含む、システム。
【請求項５６】
請求項４９記載のシステムにおいて、前記第２組のサービス品質パラメータは、前記第２位置推定に用いる技術の決定において使用する時間制限を含む、システム。